(57)【要約】【課題】センサ信号をマルチホップ無線通信し、種々のサービスを提供する事業者にとって、電池駆動無線通信ノードは外部に対する接続箇所はなく、直方体の小箱であるため、サービス提供者以外の人物にとって、邪魔なものとして設置場所を勝手に移動、不要物と認識されゴミとして廃棄処理をするというように無線通信ノードが勝手に移動されてしまう恐れがある。  この様なときに通信網が遮断されてしまい、本来のサービスが困難になってしまうという課題があった。【解決手段】無線通信ノードの底面に移動検出スイッチ２２を配置し、設置場所から持ち上げたなら警報を発生すると共に、無線通信でこの情報を情報管理機器に伝達する。  移動監視モードから移動許可モードに切り替えることによりサービス提供担当者は設置、メンテナンスを警報の発信なしで行うことができる。【選択図】図１
2008259146.tif 000002
【特許請求の範囲】
【請求項１】
無線マルチホップ機能を持った無線通信ネットワークに於いて無線通信ネットワークを構成する無線通信ノードは、
無線もしくは有線で送られてきたセンサ情報の受信機能と無線情報発信機能をもつ無線通信回路部と、
前記無線通信ノードが設置場所から移動されたことを検出する設置場所移動検出機能と、
前記無線通信ノードの設置場所が移動されたことを警告する警報発生機器と、
前記回路駆動のための電源と
を備え、前記無線通信ノードの移動検出がされたとき、もしくは前記センサとの結線が切断されたとき、設置場所移動情報を発信することを特徴とする無線通信ノード。
【請求項２】
無線通信ノードは、外部からの無線通信で送られてきた情報による切り替え可能な移動許可モードと移動監視モードを持ち、移動監視モードのときに無線通信ノードが移動されたときには設置場所移動検出情報を発信するが、移動可能モードのときには設置場所移動情報を発生しないことを特徴とする請求項１記載の無線通信ノード。
【発明の詳細な説明】
【技術分野】
【０００１】  この発明はマルチホップ機能を有する無線通信ネットワークを構成する情報受信、発信を行う無線通信ノードは設置場所が変えられたときに警報を発信すると共に、この警報は情報管理機器により設置場所が変更された無線通信ノードと、変更された時間を管理されることを可能にした無線通信ノードに関する。
【背景技術】
【０００２】
【特許文献１】特開２００６−３３３１１７  特許文献１はマルチホップ機能をもつメッシュネットを建物内に構成するシステムに関する特許である。
この特許には温度センサなどのセンサ情報を同一建物内にある管理機器に情報を伝達する手段として電波の受信、発信を順次繰り返し、制御機器に伝達する仕組みに関する特許である。
この受信、発信する部分である無線通信ノードは天井、天井裏などに固定し設置されるため、建物利用者が勝手に移動するとか、廃棄、盗難などという事態が非常に起こりにくく移動検出などの考慮は不要であったため、移動検出機能はもっていなかった。
【発明の開示】
【発明が解決しようとする課題】
【０００３】  マルチホップ機能を持った無線通信方式は、建物内で電波の通りにくい場所では無線情報の受信、発信をする無線通信ノード（アクセスポイントとも呼ばれている）の設置密度を濃くすることより、大きな建物の隅々までネットワークを構成することが可能であるため応用が広がっている。【０００４】  例えばネズミのような有害小動物の駆除のためにネズミ捕獲センサと組み合わせて、遠距離でこれらの状態を管理し、検出したなら捕獲サービス担当者が駆除に駆けつけるというネズミ捕獲システムに対しての応用が考えられている。
ネズミ捕獲のためのシステムではネズミの出没場所が変化するため、フレキシブルなネットワーク構築を可能にする方式を必要としている。
この様なネットワークシステムを構成するにはマルチホップ機能を持った無線通信システムは最適である。
ネズミ捕獲システムを構成するための無線通信ノードは部屋の隅であるとか、冷蔵庫の下であるとか、普段はあまり目に付かない床などの場所に直置きせざるを得ない場合であることが多い。
ところがこの無線通信ノードの駆動電源が電池であった場合、直方体の箱からアンテナが出ているだけの形状であったり、アンテナが筺体に内蔵している場合には、直方体の箱が置いてあったりするだけの状態になる。
ネズミ捕獲業者以外の人にとって、無線通信ノードの機能を認識することは困難であり、邪魔なものとして設置場所を勝手に移動したり、時には不要物と認識されゴミとして処理をしたり、競合会社などが悪意を持って持ち帰ったりする恐れが非常に大きい。
この様に無線通信ノードが勝手に移動されてしまった場合、通信網が遮断されてしまい、本来の捕獲サービスなどが困難になってしまうという課題があった。
【課題を解決するための手段】
【０００５】  無線通信ノードに設置場所移動検出機能を付加することにより、課題は解決できる。
無線通信ノードの設置場所移動検出機能はＧＰＳ（Ｇｌｏｂａｌ  Ｐｏｓｉｔｉｏｉｎｇ  Ｓｙｓｔｅｍ）を利用することにより解決できる。
しかしながらＧＰＳは、電力消費や、コストを考慮すると必ずしも最適ではない。
設置場所移動検出機能として無線通信ノードの底面に突起を設け、無線通信ノードを設置したなら、その筐体の自重で突起は筐体に収納され、移動検出スイッチ２２をＯＦＦにする。
この状態で無線通信ノードが床面から持ち上げられると、直ちに移動検出スイッチ２２がＯＮし、警報を発する構造をすることにより移動した者に警告を発すると共に、この情報をシステム全体の情報を管理している情報管理機器に伝達する。
又、センサと有線で結合されている無線通信ノードとの有線接続が遮断されたなら警報を発生し、この情報を情報管理機器に伝達する。
【発明の効果】
【０００６】  無線通信ノードを持ち上げたり、センサとの結線をコネクタから外したりすると警告音が発生されることにより、これらの機器を操作した人は動かしてはいけないものであると認識することができる。
またこの移動検出スイッチ２２がＯＮになったことが無線情報で直ちにこのシステムを管理している情報管理機器に伝達されることにより、情報管理機器側では何時、何処に設置した無線通信ノードから発信された移動情報かを認識することができる。
このためこの情報によりネズミ捕獲サービスを提供している業者は直ちにこの通信ネットワークにおける障害を感知し、修復することができる。
またこの無線通信ノードやセンサが盗難にあった場合でも時間と場所をすぐに特定できるので、素早い対応が可能であると共に、時間と場所の情報は盗難時には犯人の追求手段として利用が可能である。
【発明を実施するための最良の形態】
【０００７】  本発明の形態として、図１に無線通信ノードの底面斜視図と、図２に無線通信ノードのブロック図を示す。
無線通信ノードは図１に示すように無線通信ノード２１の上面にアンテナ２４をもち、底面に設置場所移動検出機能として突起部をもつ移動検出スイッチ２２を配してある。
この無線通信ノード２１が床に設置されると移動検出スイッチ２２はＯＦＦ状態になり、このときには警報発生機器２３からは警報が出ない。
もしネズミ捕獲サービス担当者以外の人物が無線通信ノード２１を勝手に持ち上げた場合はこの移動検出スイッチ２２のスイッチがＯＮになり、無線通信回路２６から、外部の情報管理機器にこの情報を発信されると共に、警報発生機器２３から警報音が発生される。
電源２７は無線通信回路２６に電源を供給するとともに、回路を通じて警報発生機器２３にも電源を供給する。
センサノード１４ではセンサ１とセンサノード１４間のコネクタ２５の結線状況を検出し、結線されていないときに警報を発生する。
ネズミ捕獲サービス担当者は携帯しているモバイル機器から情報管理機器を経由して移動監視モードを移動可能モードに切り替えることにより、警告発信することなく、自由に無線通信機器を移動することができる。
【実施例】
【０００８】  図３は本発明の設置場所移動検出機能付き無線通信ノードを使ったネズミ捕獲システムのブロック図である。
ネズミ捕獲システムではセンサ１として、ネズミ捕獲器１１が利用される。
ネズミ捕獲器１１をネズミが出没しそうな場所に複数台設置しておく。
センサ１から発信された情報は無線通信ノード群２を経由して建物内に設置されている情報通信機器３に送信される。
建物内に設置されている全てのノード情報、センサ情報は情報通信機器３に集約される。
集約された情報は公共通信インフラを利用し、各地の管理対象建物に設置されているシステムを含めて集中管理する情報管理機器４で管理される。
この管理情報はインターネット接続された閲覧機器５により、捕獲を委託した捕獲委託会社でも捕獲内容を閲覧することが可能である。
またセンサ１が発信した情報は建物サービス担当者の保有しているモバイル機器６に伝達される。
また移動検出スイッチ２２が動作したときもこの情報は情報管理機器４で管理される共に、この情報は建物サービス担当者に対しても通報される。
この情報捕獲、移動などの情報を受信すると、捕獲サービス担当者は直ちに発報の原因となった現場に駆けつけ、発報の原因となった事態に対応することができ、サービスの向上を図ることができる。【０００９】  無線通信ノード群２は移動監視モードと移動許可モードを持っており、移動許可モードでは移動検出スイッチ２２のＯＮ／ＯＦＦ信号は出力されない。
この状態で無線通信ノード群２を設置し、無線通信ノード群２内のネットワーク構築が完成したなら、情報管理機器４からの指示により、移動監視モードへ切り替えることができる。
またこの移動監視モードと移動許可モードの切り替えはモバイル機器６から情報管理機器４を通じて無線通信ノード群２に対する設定も可能である。
これにより、捕獲サービス担当者は無線通信ノードの配置変更や、ネットワーク変更が可能になる。【００１０】  図４は本発明の実施例である設置場所移動検出機能付き無線通信ノードを使ったネズミ捕獲システムの建物内構成図である。
無線通信ノード群２は、形状としては図１に示す無線通信ノード２１であるが、機能的にはセンサに有線で接続するセンサノード１４、情報の受信、発信をする中継ノード１５、情報通信機器３とＬＡＮ接続されるＬＡＮノード１６の３種類のノードで構成される。
これらのノードはすべて識別番号を持ち、受信した情報に中継した無線通信ノードの識別番号を付加し、発信をする。
実施例ではセンサ１としてネズミ捕獲器１１が設置されている。
ネズミ捕獲器１１はセンサノード１４とコネクタ２５により結線されている。
ネズミ捕獲時に発生した捕獲情報はセンサノードから無線信号が発信され、最も近くにある中継ノード１５に伝達される。
中継ノード１５は受信した信号に自分の識別番号を付加し、無線情報を発信する。
この様にセンサノード１４、中継ノード１５は通信可能な距離内に設置することにより自動的にネットワークが構築される。【００１１】  この様に無線信号を受け渡すホッピング機能をもつノードを多数配することにより、大きな建造物でも隅々まで通信網を形成することができる。
図４の構成例ではセンサノード１４から２個の中継ノード１５、ＬＡＮノード１６を経由してセンサ情報は情報通信機器３に伝達され、公共通信インフラ１７を利用して、建物外に設置されている情報管理機器４に伝達される。
無線通信ノードはそれぞれ識別番号を持ち、センサ情報に識別番号を付加し、情報転送が行われる。
この様なマルチホップ機能を持った無線通信仕様はＩＥＥＥ８０２．１５．４（Ｚｉｇｂｅｅネット）として国際標準化がなされている。
またこのネットワークは一つ一つの通信距離は短くとも複数のノードをホッピングすることにより通信距離を延ばすことができると共に、一つ一つのノードの電力消費を抑えることができるため電池駆動で長時間の稼動が可能になる。【００１２】  センサノード１４、中継ノード１５で構成される無線通信ノード群を電池駆動にすると、他の機器類と独立して設置される。
このため設置した状態ではネズミ捕獲サービス担当者以外の者にとっては、この設置目的が理解されず、勝手に移動したり、ゴミとして廃棄されたりされるというようなことが発生する。
又簡単に持ち運びできるため、移動防止及び盗難防止対策が必要である。
ＬＡＮノード１６は情報通信機器３とＬＡＮ接続されているため、移動されることは比較的少ないが無線通信ノード群２には全て移動検出スイッチ２２を持つことが望ましい。
この各ノード設置前は、移動検出スイッチ２２はＯＮ状態であり、警報が鳴りっぱなしになる恐れがある。
これを避けるために無線通信ノード群２には移動許可モードと移動監視モードをもつ必要がある。
初期状態で移動許可モードにしておき、通信網を形成してから無線通信を通じて無線通信ノード群２を移動監視モードに切り替えられる構造にしておくことにより、警報の鳴りっぱなしという状態を避けることができる。
もちろん無線通信ノード群２に移動許可モードと移動監視モードの切り替えスイッチを持つことによりこの現象を避けることはできるが、スイッチがむき出しになっていると、悪意を持った人物がこのスイッチを切ってから移動するということが起きる恐れがある。
無線通信を通じて移動許可モード、移動監視モードの切り替えを可能にしておくと、管理サービス担当者が携帯電話などのモバイル機器６を使って、設置現場でこの無線通信ノード群２に対し移動許可モードに変更が可能になる。
又、無線通信ノード群２を適正な位置に配置し終えてから、設置担当者が、モバイル機器６を使って、移動許可モードから移動監視モードへの切り替えができるようになる。
【産業上の利用可能性】
【００１３】  この発明はマルチホップネットワーク、メッシュネットとよばれる無線中継機能を利用したネットワークを構成するときに有効である。
この無線方式は建物の設備監視のように遠隔地にセンサを設置し、中央でこれらセンサを監視する事やインターネットを利用し遠隔監視サービスをするという業務形態で利用が進んでいる。
この無線通信ノード群２は、無線電波を中継するだけの機能であるため電池駆動が望まれており、しかもアンテナが内蔵された場合には立方体の形状のものが他のものと関係なく一つだけ設置される事になるため、その価値が認識されず、移動させられたり、廃棄させられたりしやすい。
これを防ぐために外観に注意書きをするだけでは不十分であり、移動した場合警告を発生する機能が必須である。
今後無線技術が発達し、中継器の低消費電力化が測られ、電池駆動になると必ず必要となる技術である。
【図面の簡単な説明】
【００１４】
【図１】無線通信ノードの底面斜視図
【図２】無線通信ノードのブロック図
【図３】ネズミ捕獲システムのブロック図
【図４】ネズミ捕獲システムの建物内構成図
【符号の説明】
【００１５】１．センサ、２．無線通信ノード群、３．情報通信機器、４．情報管理機器
５．閲覧機器、６．モバイル機器、１１．ネズミ捕獲器、１４．センサノード
１５．中継ノード、１６．ＬＡＮノード、１７．公共通信インフラ
２１．無線通信ノード、２２．移動検出スイッチ、２３．警報発生機器
２４．アンテナ、２５．コネクタ、２６．無線通信回路、２７．電源
【図１】
2008259146.tif 000003
【図２】
2008259146.tif 000004
【図３】
2008259146.tif 000005
【図４】
2008259146.tif 000006